(57)【特許請求の範囲】
【請求項１】
両軸受リールのリール本体に対して回転自在なスプールを制動するレバードラグ機構のドラグ調整装置であって、
前記スプールが自由回転可能なドラグフリー状態に対応したフリー位置と前記ドラグ機構の最大ドラグ状態に対応した最大位置との間で前記リール本体の側面に前記スプールの回転軸回りに揺動自在に装着される装着部と、前記装着部から先端部に向かって延びる操作部と、前記操作部の長手方向の中央より前記装着部側に設けられたレバー側接触部と、を有し、前後方向に揺動操作可能なドラグ調整レバーと、
前記フリー位置と前記最大位置との間の中間位置で前記リール本体の側面に進退自在に装着された位置決め部材を有する中間位置決め機構と、
を備え、
前記位置決め部材は、
前記レバー側接触部に接触可能な接触部と、
前記ドラグ調整レバーを操作する手指で前記位置決め部材を退入操作するための押圧操作部と、
を有し、
前記中間位置決め機構は、
前記位置決め部材の退入方向をガイドする第１ガイド部と、
前記第１ガイド部と間隔をあけて配置され、前記第１ガイド部材とともに前記位置決め部材の退入方向をガイドする第２ガイド部と、
をさらに有する、
両軸受リールのドラグ調整装置。
【請求項２】
前記レバー側接触部は、前記操作部の基端部に形成されている、請求項１に記載の両軸受リールのドラグ調整装置。
【請求項３】
前記レバー側接触部は、前記操作部の少なくとも前記位置決め部材が接触する部分が凹んで形成された凹部である、請求項１又は２に記載の両軸受リールのドラグ調整装置。
【請求項４】
前記中間位置決め機構は、前記リール本体の側面と前記位置決め部材との間に装着され、前記位置決め部材を進出方向に付勢するばね部材をさらに有している、請求項１から３のいずれか１項に記載の両軸受リールのドラグ調整装置。
【請求項５】
前記第１ガイド部は、前記リール本体の側面を貫通し、前記位置決め部材の前記リール本体の側面との対向面に立設され、周囲に前記ばね部材が装着されている、請求項４に記載の両軸受リールのドラグ調整装置。
【請求項６】
前記第２ガイド部は、前記リール本体の側面を貫通し、前記位置決め部材の前記リール本体の側面との対向面に立設され、前記第１ガイド部と間隔をあけて配置されている、請求項５に記載の両軸受リールのドラグ調整装置。
【発明の詳細な説明】
【技術分野】
【０００１】
本発明は、両軸受リールのドラグ調整装置、特に、両軸受リールのリール本体に対して回転自在なスプールを制動するレバードラグ機構のドラグ力を調整する両軸受リールのドラグ調整装置に関する。
【背景技術】
【０００２】
両軸受リールには、スプールの糸繰り出し方向の回転を制動するドラグ機構が装着されている。ドラグ機構のうちレバードラグ機構は、操作性やドラグ調整の正確性がスタードラグ機構より優れているため、大型の両軸受リールに使用されている。
【０００３】
この種のレバーラグ機構のドラグ力を調整するドラグ調整装置は、従来、リール本体に揺動自在に装着されたドラグ調整レバーと、ドラグ調整レバーの揺動によりスプール軸を軸方向に移動させる移動機構と、ドラグ操作レバーの揺動に応じて発音してクリック感を付与する発音機構とを備えている。
【０００４】
このようなレバードラグ機構を有する両軸受リールでは、ドラグ調整レバーのフリー位置と最大位置との間には、通常は釣り糸の引っ張り強度の１／３程度を目安に設定されるストライク位置（中間位置）が設定されているものが知られている。このストライク位置にドラグ調整レバーを位置決めするために、中間位置決め機構が設けられている（たとえば、特許文献１〜３参照）。
【０００５】
この種の中間位置決め機構は、フリー位置と最大位置との間のストライク位置でリール本体の上面に進退自在に装着された位置決め部材と、位置決め部材を進出方向に付勢するばね部材とを有している。中間位置決め機構は、ドラグ調整レバーをフリー位置からストライク位置に向けて揺動操作したとき、リール本体の上面に突出した位置決め部材がドラグ調整レバーの先端部に接触してドラグ調整レバーをストライク位置で位置決めすることができる。
【先行技術文献】
【特許文献】
【０００６】
【特許文献１】実開平４−１００３８８号公報
【特許文献２】実公平５−２５４２４号公報
【特許文献３】特公昭４９−１６３１９号公報
【発明の概要】
【発明が解決しようとする課題】
【０００７】
前記従来の中間位置決め機構では、リール本体の上面に突出した位置決め部材がドラグ調整レバーの先端部に接触してドラグ調整レバーをストライク位置で位置決めしている。この中間位置決め機構では、位置決め部材はリール本体の上面に突出して設けられているので、位置決め部材に釣り糸が絡みつくおそれがある。さらに、この中間位置決め機構では、ドラグ調整レバーの先端部に位置決め部材が接触するようになっているので、ドラグ調整レバーの先端部に位置決め部材の当たりを形成する必要がある。このため、ドラグ調整レバーの先端部を釣人が操作しやすい形状に形成するのは非常に困難である。
【０００８】
本発明の課題は、両軸受リールのドラグ調整装置において、位置決め部材に釣り糸が絡みつくのを防止するとともに、ドラグ調整レバーを操作しやすい形状に形成できるようにすることにある。
【課題を解決するための手段】
【０００９】
発明１に係る両軸受リールのドラグ調整装置は、両軸受リールのリール本体に対して回転自在なスプールを制動するレバードラグ機構のドラグ力を調整する両軸受リールのドラグ調整装置であって、ドラグ調整レバーと、中間位置決め機構とを備えている。ドラグ調整レバーは、装着部と、操作部とを有している。装着部は、スプールが自由回転可能なドラグフリー状態に対応したフリー位置とドラグ機構の最大ドラグ状態に対応した最大位置との間でリール本体の側面にスプールの回転軸回りに揺動自在に装着される。操作部は、装着部から先端部に向かって延び、前後方向に揺動操作可能な部分である。中間位置決め機構は、フリー位置と最大位置との間の中間位置でリール本体の側面に進退自在に装着された位置決め部材を有している。中間位置決め機構は、ドラグ調整レバーをフリー位置から中間位置に向けて揺動操作したとき位置決め部材が操作部の長手方向の中央より装着部側に設けられた接触部に接触してドラグ調整レバーを中間位置で位置決め可能であるとともに、ドラグ調整レバーを操作する手指で位置決め部材を退入操作可能な機構である。
【００１０】
このドラグ調整装置では、位置決め部材は、リール本体の側面に進退自在に装着され、ドラグ調整レバーは、操作部の長手方向の中央より装着部側に設けられ、位置決め部材が接触してドラグ調整レバーを中間位置で位置決め可能な接触部を有している。ここでは、位置決め部材は、リール本体の側面に設けられているので、リール本体の上面に設ける場合に比して、位置決め部材に釣り糸が絡みつきにくくなる。さらに、ここでは、接触部は、操作部の長手方向の中央より装着部側に設けられているので、従来のように操作部の先端部に接触部を設ける必要がなくなるので、操作部の先端部を釣人が操作しやすい形状に形成することができる。
【００１１】
発明２に係るドラグ調整装置は、発明１のドラグ調整装置において、接触部は、操作部の基端部に形成されている。この場合、接触部は、操作部の根元部分である操作部の基端部に設けられているので、さらに、位置決め部材に釣り糸が絡みつくのを防止できるとともに、ドラグ調整レバーを操作しやすい形状に形成できる。
【００１２】
発明３に係るドラグ調整装置は、発明１又は２のドラグ調整装置において、接触部は、操作部の少なくとも位置決め部材が接触する部分が凹んで形成された凹部である。この場合、接触部が凹部になっているので、位置決め部材が接触部に接触しやすくなる。
【００１３】
発明４に係るドラグ調整装置は、発明１から３のいずれかのドラグ調整装置において、中間位置決め機構は、リール本体の側面と位置決め部材との間に装着され、位置決め部材を進出方向に付勢するばね部材をさらに有している。この場合、ばね部材によって、位置決め部材が進出方向に付勢されているので、位置決め部材の退入操作を行いやすくなる。
【００１４】
発明５に係るドラグ調整装置は、発明４のドラグ調整装置において、中間位置決め機構は、リール本体の側面を貫通し、位置決め部材のリール本体の側面との対向面に立設され、周囲にばね部材が装着される第１ガイド部をさらに有している。この場合、第１ガイド部によって、位置決め部材の退入方向がガイドされるので、位置決め部材の退入操作を行いやすくなる。
【００１５】
発明６に係るドラグ調整装置は、発明５のドラグ調整装置において、中間位置決め機構は、リール本体の側面を貫通し、位置決め部材のリール本体の側面との対向面に立設され、第１ガイド部と間隔をあけて配置される第２ガイド部をさらに有している。この場合、２つの第１ガイド部及び第２ガイド部を設けることによって、位置決め部材がこじて傾きにくくなるので、位置決め部材の退入操作をさらに行いやすくなる。
【発明の効果】
【００１６】
本発明によれば、両軸受リールのドラグ調整装置において、位置決め部材は、リール本体の側面に進退自在に装着され、ドラグ調整レバーは、操作部の長手方向の中央より装着部側に設けられ、位置決め部材が接触してドラグ調整レバーを中間位置で位置決め可能な接触部を有しているので、位置決め部材に釣り糸が絡みつくのを防止できるとともに、ドラグ調整レバーを操作しやすい形状に形成できる。
【図面の簡単な説明】
【００１７】
【図１】本発明の一実施形態を採用した両軸受リールの斜視図。
【図２】前記両軸受リールの断面図。
【図３】前記両軸受リールの中間位置決め機構の拡大斜視図。
【図４】前記中間位置決め機構の位置決め部材の拡大斜視図。
【図５】前記位置決め部材の拡大断面図。
【図６】他の実施形態の図５に相当する図。
【発明を実施するための形態】
【００１８】
本発明の一実施形態を採用した両軸受リールは、図１及び図２に示すように、中型のレバードラグリールである。レバードラグリールは、筒状のリール本体１と、リール本体１の中心部に回転不能かつ軸方向移動自在に装着されたスプール軸２と、スプール軸２に回転自在かつ軸方向移動不能に支持されたスプール３と、リール本体１の側方に配置されたハンドル４とを備えている。また、レバードラグリールは、図２に示すように、ハンドル４の回転をスプール３に伝達する回転伝達機構６と、スプール３の糸繰り出し方向の回転を制動するレバードラグ機構９とをリール本体１の内部に備えている。
【００１９】
リール本体１は、図１に示すように、金属製の左右１対の皿状の第１側板１０ａ及び第２側板１０ｂと、第１側板１０ａ及び第２側板１０ｂを前後及び下部で連結する連結部１１ａ、連結部１１ｂ、連結部１１ｃと、第１側板１０ａの外方を覆うように第１側板１０ａと一体形成された第１カバー部材１２ａとを有する金属製のフレーム５を備えている。
【００２０】
フレーム５の連結部１１ｃには、レバードラグリールを釣竿に装着するための竿装着部１１ｄが一体形成されている。第１側板１０ａ、第２側板１０ｂ、連結部１１ａ、連結部１１ｂ、連結部１１ｃ及び第１カバー部材１２ａは、金属の切削加工により一体成形されている。
【００２１】
リール本体１は、図１に示すように、第２側板１０ｂの外方を覆う、金属製の第２カバー部材１２ｂを有している。また、第１側板１０ａ及び第２側板１０ｂは、スプール３が通過可能な開口を有している。第１カバー部材１２ａの内部には、スプール軸２の左端を軸方向移動自在かつ回転不能に支持するボス部１２ｃが形成されている。第１カバー部材１２ａの内部には、図２に示すように、スプール３の回転に応じて発音するスプール発音機構８が設けられている。
【００２２】
スプール発音機構８は、図２に示すように、スプール３の回転に応じて発音可能であり、かつ発音可能状態と発音不能な発音解除状態とに切り換え可能な機構である。スプール発音機構８は、図２に示すように、スプール３と連動して回転する凹凸部材６０と、凹凸部材６０と接離する方向に移動自在に装着された操作部材６１と、操作部材６１に揺動自在に装着された発音部材６２と、発音部材６２を凹凸部材６０方向に付勢する図示しない付勢部材と、第１カバー部材１２ａに形成された図示しない長穴に装着され操作部材６１を発音可能位置又は発音解除位置に位置決めするための弾性部材製のカラー部材６５とを有している。
【００２３】
ハンドル４側の第２カバー部材１２ｂには、図１及び図２に示すように、径方向及び軸方向外方に突出する膨出部１２ｄが形成されている。膨出部１２ｄには、図２に示すように、回転伝達機構６が設けられている。膨出部１２ｄの下方には、ハンドル４のハンドル軸２０を支持するための第１支持筒部１２ｅが軸方向外方に突出して形成されている。
【００２４】
スプール軸２は、図２に示すように、第１カバー部材１２ａのボス部１２ｃと、第２カバー部材１２ｂにより軸方向移動自在かつ回転不能に支持されている。スプール軸２の左端部には、径方向に沿って貫通する回り止めピン２ａが装着されており、第１カバー部材１２ａのボス部１２ｃには、回り止めピン２ａに係合する図示しない回り止めスリットが径方向に沿って形成されている。
【００２５】
スプール軸２は、外周面に配置された２つの第１軸受１６ａ、第２軸受１６ｂによりスプール３を回転自在に支持している。第１軸受１６ａは、皿ばねの形態の第１ばね部材１７ａにより、軸方向内側（図２では右側）に付勢され、第２軸受１６ｂは、コイルばねの形態の第２ばね部材１７ｂにより軸方向内側（図２では左側）に付勢されている。また、第１軸受１６ａ、第２軸受１６ｂの軸方向内側面は、スプール３及びスプール軸２により内側への移動が規制されている。これにより、スプール軸２とスプール３とは、軸方向に一体的に移動可能である。スプール軸２は、レバードラグ機構９により軸方向にスプール３とともに移動する。
【００２６】
スプール３は、図２に示すように、糸巻胴部３ａと糸巻胴部３ａの両端に一体形成されたフランジ部３ｂとを有している。右側のフランジ部３ｂの端面には、レバードラグ機構９を構成する摩擦ディスク４１がねじにより固定されている。
【００２７】
ハンドル４は、図２に示すように、スプール軸２の下方にスプール軸２と平行に配置された筒状のハンドル軸２０の突出端に固定されている。ハンドル軸２０は、リール本体１に回転自在に支持されている。ハンドル軸２０には、図２に示すように、内部を軸方向に貫通する貫通孔２０ｂが形成されている。
【００２８】
回転伝達機構６は、図２に示すように、高低２速に切り換え可能な変速操作機構７を備えている。変速操作機構７は、図２に示すように、ハンドル４のハンドル軸２０に回転自在に支持された高速巻き取り用の第１メインギア１８及び低速巻き取り用の第２メインギア１９と、第１メインギア１８及び第２メインギア１９にそれぞれ噛み合う状態でスプール軸２に回転自在に装着された第１ピニオンギア２１及び第２ピニオンギア２２と、第１メインギア１８及び第２メインギア１９のいずれか一方とハンドル軸２０とを結合し回転を伝達する係合片２３と、係合片２３の図２左側に配置され係合片２３及び後述する第２圧縮ばね２４ｂを介して操作軸２５を軸方向外方（図２右側）に付勢する第１圧縮ばね２４ａと、係合片２３の図２右側に配置され係合片２３を第２メインギア１９側に付勢する第２圧縮ばね２４ｂと、係合片２３の位置を第１メインギア１８に係合する高速位置（図２では、高速位置の係合片２３を実線で示す）又は第２メインギア１９に係合する低速位置（図２では、低速位置の係合片２３を２点鎖線で示す）の一方に設定する操作軸２５とを有している。
【００２９】
第１ピニオンギア２１は、図２に示すように、たとえば非磁性のステンレス合金等の耐蝕性を有する金属製の筒状部材である。第１ピニオンギア２１は、右端がスプール軸２の外側で膨出部１２ｄに装着された第４軸受１６ｄに回転自在に支持されている。また、第１ピニオンギア２１の左端は、レバードラグ機構９のドラグディスク４２に一体回転可能に係合している。第２ピニオンギア２２は、第１ピニオンギア２１と同様な材質の筒状部材であり、左端がドラグディスク４２に一体回転可能に係合している。係合片２３は、ハンドル軸２０のスリット内に回転不能に配置されている。操作軸２５は、図２に示すように、ハンドル軸２０の貫通孔２０ｂに挿通されている。操作軸２５の図２右側の端部は、ハンドルアーム４ａの軸方向外方（図２右側）に突出しており、操作軸２５を図２左方向に押し込むことが可能である。操作軸２５は、ハンドル軸２０の突出端にねじ込まれたハンドル４をハンドル軸２０に固定するためのナット部材２９により軸方向に移動自在に支持されている。
【００３０】
変速操作機構７は、図２に示すように、ハンドル４と、ナット部材２９を含むハンドル軸２０と、第１圧縮ばね２４ａ、操作軸２５と、ロック部材３０と、ロック部材付勢部材としてのばね部材３５と、台座部材３１と、ケース部材３２とを有している。
【００３１】
ハンドル４は、図２に示すように、長手方向と交差する方向に貫通孔４ｃが形成されたハンドルアーム４ａと、ハンドルアーム４ａの先端部に回転自在に装着されたハンドル把手４ｂとを有している。ハンドルアーム４ａは、金属製の板状部材であって、基端部に形成された非円形の貫通孔４ｃにハンドル軸２０を構成するナット部材２９が一体回転可能に装着される。ハンドル軸２０の基端部は、図２に示すように、貫通孔２０ｂの内周部に雌ねじ部２０ａが形成されており、ナット部材２９の雄ねじ部２９ａが螺合することによって、ハンドル軸２０とナット部材２９とが一体回転可能である。ナット部材２９は、ハンドルアーム４ａに固定される台座部材３１の非円形孔に相対回転不能に係合する外形が６角形の頭部を有している。ナット部材２９の中央部には貫通孔が形成されており、操作軸２５の軸部２５ａが移動自在に挿通される。
【００３２】
レバードラグ機構９は、図２に示すように、スプール３の図２右端に装着された摩擦ディスク４１と、摩擦ディスク４１と対向して配置されたドラグディスク４２と、スプール軸２を軸方向に往復移動させるための移動機構４３とを有している。
【００３３】
摩擦ディスク４１は、図２に示すように、たとえば、カーボングラファイトや繊維強化樹脂等の耐摩耗性材製のワッシャ状の円板部材であり、周方向に間隔を隔てて配置された複数本の取付ボルトにより、スプール３の右側のフランジ部３ｂの外側面に固定されている。
【００３４】
ドラグディスク４２は、図２に示すように、第１ピニオンギア２１及び第２ピニオンギア２２に一体回転可能に係合するディスク本体４５と、ディスク本体４５に複数本の取付ボルトにより固定され、摩擦ディスク４１に対向して配置されるたとえばステンレス製の制動ディスク４６とを備えている。ディスク本体４５は、たとえば、アルミダイキャスト製の円板状の部材であり、スプール軸２に第３軸受１６ｃにより回転自在に支持されている。ディスク本体４５のスプール３に対向する面には、制動ディスク４６が固定されている。
【００３５】
移動機構４３は、図１から図３に示すように、第２カバー部材１２ｂの第２支持筒部１２ｆの外周部に揺動自在に設けられたドラグレバー８０と、ドラグレバー８０の図１時計回りの揺動に応じてスプール軸２を引っ張って図２右方に移動させる引張機構８１と、スプール軸２を図２左方に付勢してドラグレバー８０の図１反時計回りの移動に応じてスプール軸２を図２左方に移動させるための第２ばね部材１７ｂと、ドラグレバー８０を中間位置で位置決め可能であるとともにドラグレバー８０を操作する手指で位置決め部材９０を退入操作可能な中間位置決め機構８２と、第２支持筒部１２ｆに支持されるスプール軸２の端部に装着されドラグレバー８０の制動力を調整するためのドラグ調整つまみ８３とを有している。
【００３６】
ドラグレバー８０は、図１から図３に示すように、スプール３が自由回転可能なドラグフリー状態に対応したフリー位置とドラグ機構の最大ドラグ状態に対応した最大位置との間で第２カバー部材１２ｂの第２支持筒部１２ｆの外周部に揺動自在に装着されており、フリー位置と最大位置との間で揺動するように揺動範囲が規制されている。ドラグレバー８０は、スプール軸２の径方向外方に延び第２カバー部材１２ｂの側面に突出した第２支持筒部１２ｆの外周部に揺動自在に装着された装着部８０ａと、装着部８０ａの上面から先端部に向かって延び前後方向に揺動操作可能な操作部８０ｂとを有している。
【００３７】
装着部８０ａは、図２に示すように、移動機構４３を構成する図示しないカム部材に回転不能に係止されており、操作部８０ｂを揺動操作に応じて、スプール軸２及びスプール３をスプール軸方向に移動させるようになっている。装着部８０ａは、図１及び図３に示すように、外形が略円形の筒状の部分である。装着部８０ａの側面中央部には、スプール軸２が装着されており、スプール軸２の端部には、キャップ状のドラグ調整つまみ８３が装着されている。装着部８０ａの上面には、先端部に向かって延びる操作部８０ｂが装着部８０ａと一体成形されている。
【００３８】
操作部８０ｂは、図１から図３に示すように、装着部８０ａの上面から先端部に向かって延び、前後方向（前方向は、図１時計回りの方向であり、後方向は、図１反時計回りの方向である）に揺動操作可能な部分である。操作部８０ｂは、第２カバー部材１２ｂの側面と、第２カバー部材１２ｂの側面から側方に突出した突出部１２ｇの側面と、僅かな隙間をあけて対向する位置に揺動自在に配置されている。突出部１２ｇの側面は、図３に示すように、第２カバー部材１２ｂの側面より突出し、装着部８０ａが装着される第２支持筒部１２ｆは、突出部１２ｇの側面より側方に突出するように配置されている。突出部１２ｇの側面には、図３に示すように、後述する位置決め部材９０が進退自在に装着され、操作部８０ｂの基端部の前面には、後述する位置決め部材９０の接触部９０ｂが接触してドラグレバー８０を中間位置で位置決めする接触部８０ｃが形成されている。
【００３９】
接触部８０ｃは、図３に示すように、操作部８０ｂの長手方向の中央より装着部８０ａ側の前面に設けられ、位置決め部材９０の接触部９０ｂが接触してドラグレバー８０を中間位置で位置決め可能な部分である。接触部８０ｃは、操作部８０ｂの根元部分である操作部８０ｂの基端部の前面に形成されている。接触部８０ｃは、位置決め部材９０の接触部９０ｂが接触する部分が凹んで形成された凹部であって、位置決め部材９０の後面に形成された接触部９０ｂの全部が接触可能に切り欠かれた凹部である。位置決め部材９０の接触部９０ｂは、外形が上下方向に長い矩形であり、接触部８０ｃは、内形が位置決め部材９０の接触部９０ｂよりやや大きい上下方向に長い矩形となるように形成されており、両者の対向面の全体が接触可能である。
【００４０】
中間位置決め機構８２は、図１及び図３に示すように、ドラグレバー８０をフリー位置から中間位置に向けて揺動操作したとき位置決め部材９０が操作部８０ｂの基端部の前面に設けられた接触部８０ｃに接触してドラグレバー８０を中間位置で位置決め可能であるとともに、ドラグレバー８０を操作する手指で位置決め部材９０を退入操作可能な機構である。ドラグレバー８０の中間位置は、通常は釣り糸の引っ張り強度の１／３程度を目安に設定されるストライク位置が設定されている。中間位置決め機構８２は、図３から図５に示すように、フリー位置と最大位置との間の中間位置で第２カバー部材１２ｂの側面から側方に突出した突出部１２ｇの側面に進退自在に装着された位置決め部材９０と、突出部１２ｇの側面と位置決め部材９０との間に装着され位置決め部材９０を進出方向に付勢する第１ばね部材９３と、突出部１２ｇの側面を貫通し位置決め部材９０の突出部１２ｇの側面との対向面に立設され周囲に第１ばね部材９３が装着される第１ガイド部９１と、突出部１２ｇの側面を貫通し位置決め部材９０の突出部１２ｇの側面との対向面に立設され第１ガイド部９１と間隔をあけて配置される第２ガイド部９２とを有している。
【００４１】
位置決め部材９０は、図１、図３から図５に示すように、側面視外形が上辺が下辺より長い略台形の柱状部材であって、上辺及び下辺はやや上方に湾曲した形状になっている。位置決め部材９０は、側面に設けられドラグレバー８０を操作する手指で退入操作可能な押圧操作部９０ａと、後面に設けられドラグレバー８０の接触部８０ｃに接触可能な接触部９０ｂと、押圧操作部９０ａと逆側の側面に凹んで形成され第１ばね部材９３の端部が収納可能な第１収納凹部９０ｃとを有している。位置決め部材９０の押圧操作部９０ａと逆側の側面には、図４及び図５に示すように、第１収納凹部９０ｃの中央部に立設された第１ガイド部９１と、第１ガイド部９１と間隔をあけて平行となるように立設された第２ガイド部９２とが一体成形されている。また、位置決め部材９０は、図５に示すように、突出部１２ｇの側面に凹んで形成された装着凹部１２ｈに進退自在に装着されている。装着凹部１２ｈは、装着凹部１２ｈの外形よりやや大きい相似形となる内形が略台形の凹部である。
【００４２】
第１ガイド部９１は、図５に示すように、装着凹部１２ｈの側面に形成された第１貫通孔１２ｉを貫通し、位置決め部材９０の装着凹部１２ｈの側面との対向面に立設され、周囲に第１ばね部材９３が装着される略円柱状部材である。第１ガイド部９１は、図４及び図５に示すように、第１収納凹部９０ｃの中央部に立設されており、位置決め部材９０と一体成形されている。第１ガイド部９１は、略円柱状の本体部９１ａと、本体部９１ａの先端部外周に形成された雄ねじ部９１ｂとを有している。雄ねじ部９１ｂは、第１貫通孔１２ｉを貫通しており、本体部９１ａの外周に第１ばね部材９３を装着した状態で、装着凹部１２ｈの逆側の側面から装着された第１板状部材９４の内周に形成された雌ねじ部９４ａが螺合することによって、位置決め部材９０を進出方向（図５右側方向）に付勢しながら、位置決め部材９０を装着凹部１２ｈに対して抜け止めしている。
【００４３】
第２ガイド部９２は、図５に示すように、装着凹部１２ｈの側面に形成された第２貫通孔１２ｊを貫通し、位置決め部材９０の装着凹部１２ｈの側面との対向面に立設される略円柱台形状部材である。第２ガイド部９２は、図４及び図５に示すように、第１ガイド部９１と間隔をあけて平行に配置されており、位置決め部材９０と一体成形されている。第２ガイド部９２は、略円柱台形状の本体部９２ａと、本体部９２ａの先端部に本体部９２ａより小径に形成され第２貫通孔１２ｊを貫通する小径部９２ｂと、本体部９２ａの基端部に本体部９２ａより大径に形成され位置決め部材９０と一体成形された大径部９２ｃとを有している。ここでは、２つの第１ガイド部９１及び第２ガイド部９２を設けることによって、位置決め部材９０の退入操作を行いやすくなる。
【００４４】
第１ばね部材９３は、図４及び図５に示すように、突出部１２ｇの側面と位置決め部材９０との間に装着され、位置決め部材９０を進出方向に付勢するコイルばねである。第１ばね部材９３は、第１ガイド部９１の周囲に圧縮されて装着されており、このため、位置決め部材９０を進出方向（図５右側方向）に付勢している。
【００４５】
このように構成されたレバードラグリールにおいて、レバードラグ機構９のドラグ力を強弱調整する場合には、ドラグレバー８０を揺動させる。ドラグレバー８０を図１において最も手前側の揺動位置であるドラグ解放位置に配置すると、レバードラグ機構９において、ドラグディスク４２から摩擦ディスク４１が離反してドラグ開放状態になり、スプール３が自由回転可能になる。これにより、キャスティングを行える。そこから、図１時計回りにドラグレバー８０を揺動操作するとスプール軸方向外方（図２右側）に徐々に移動しスプール軸２及びスプール３が徐々に右側に移動する。この結果、摩擦ディスク４１のドラグディスク４２への圧接力が強くなり、ドラグ力が強くなる。
【００４６】
そして、ドラグレバー８０がフリー位置から中間位置に向けて揺動操作したとき、位置決め部材９０の接触部９０ｂが操作部８０ｂの基端部の前面に設けられた接触部８０ｃに接触して、ドラグレバー８０を中間位置で位置決めされる。中間位置より前にドラグレバー８０を揺動させるときは、ドラグレバー８０を操作する手指で位置決め部材９０を退入操作を行い、位置決め部材９０の接触部９０ｂが操作部８０ｂの接触部８０ｃに接触しないようにすればよい。
【００４７】
このようなレバードラグリールの中間位置決め機構８２では、位置決め部材９０は、リール本体１の側面に進退自在に装着され、ドラグレバー８０は、操作部８０ｂの基端部に設けられ、位置決め部材９０の接触部９０ｂが接触してドラグレバー８０を中間位置で位置決め可能な接触部８０ｃを有している。ここでは、位置決め部材９０は、リール本体１の側面に設けられているので、リール本体１の上面に設ける場合に比して、位置決め部材９０に釣り糸が絡みつきにくくなる。さらに、ここでは、ドラグレバー８０の接触部８０ｃは、操作部８０ｂの基端部に設けられているので、従来のように操作部８０ｂの先端部に接触部８０ｃを設ける必要がなくなるので、操作部８０ｂの先端部を釣人が操作しやすい形状に形成することができる。
【００４８】
〔他の実施形態〕
（ａ）  前記実施形態では、中型のレバードラグリールを例にあげて説明したが、これに限られるものではなく、中間位置決め機構８２を有する両軸受リールであれば、あらゆる両軸受リールに本発明を適用できる。
【００４９】
（ｂ）  前記実施形態では、ドラグレバー８０の接触部８０ｃは、操作部８０ｂの基端部の前面に設けられていたが、操作部８０ｂの長手方向の中央より操作部８０ｂ側であれば、たとえば、操作部８０ｂの基端部の前面から若干陥没した凹部に接触部８０ｃを設けてもよい。
【００５０】
（ｃ）  前記実施形態では、第２ガイド部９２は、略円柱台形状部材であったが、図６に示すように、装着凹部１２ｈの側面に形成された第２貫通孔１２ｊを貫通し、位置決め部材９０の装着凹部１２ｈの側面との対向面に立設され、周囲に第２ばね部材９５が装着される略円柱状部材であってもよい。ここでは、第２ガイド部９２は、押圧操作部９０ａと逆側の側面に凹んで形成され第２ばね部材９５の端部が収納可能な第２収納凹部９０ｄの中央部に立設されており、位置決め部材９０と一体成形されている。第２ガイド部９２は、略円柱状の本体部９２ａと、本体部９２ａの先端部外周に形成された雄ねじ部９２ｄとを有している。雄ねじ部９２ｄは、第２貫通孔１２ｊを貫通しており、本体部９２ａの外周に第２ばね部材９５を装着した状態で、装着凹部１２ｈの逆側の側面から装着された第２板状部材９６の内周に形成された雌ねじ部９６ａが螺合することによって、位置決め部材９０を進出方向（図６右側方向）に付勢しながら、位置決め部材９０を装着凹部１２ｈに対して抜け止めしている。ここでは、２つの第１ガイド部９１及び第２ガイド部９２に対して、２つの第１ばね部材９３及び第２ばね部材９５を設けることによって、位置決め部材９０の退入操作をさらに行いやすくなる。
【符号の説明】
【００５１】
１  リール本体
２  スプール軸
２ａ  回り止めピン
３  スプール
３ａ  糸巻胴部
３ｂ  フランジ部
４  ハンドル
４ａ  ハンドルアーム
４ｂ  ハンドル把手
４ｃ  貫通孔
５  フレーム
６  回転伝達機構
７  変速操作機構
８  スプール発音機構
９  レバードラグ機構
１０ａ  第１側板
１０ｂ  第２側板
１１ａ  連結部
１１ｂ  連結部
１１ｃ  連結部
１１ｄ  竿装着部
１２ａ  第１カバー部材
１２ｂ  第２カバー部材
１２ｃ  ボス部
１２ｄ  膨出部
１２ｅ  第１支持筒部
１２ｆ  第２支持筒部
１２ｇ  突出部
１２ｈ  装着凹部
１２ｉ  第１貫通孔
１２ｊ  第２貫通孔
１６ａ  第１軸受
１６ｂ  第２軸受
１６ｃ  第３軸受
１６ｄ  第４軸受
１７ａ  第１ばね部材
１７ｂ  第２ばね部材
１８  第１メインギア
１９  第２メインギア
２０  ハンドル軸
２０ａ  雌ねじ部
２０ｂ  貫通孔
２１  第１ピニオンギア
２２  第２ピニオンギア
２３  係合片
２４ａ  第１圧縮ばね
２４ｂ  第２圧縮ばね
２５  操作軸
２５ａ  軸部
２９  ナット部材
２９ａ  雄ねじ部
３０  ロック部材
３１  台座部材
３２  ケース部材
４１  摩擦ディスク
４２  ドラグディスク
４３  移動機構
４５  ディスク本体
４６  制動ディスク
６０  凹凸部材
６１  操作部材
６５  カラー部材
８０  ドラグレバー
８０ａ  装着部
８０ｂ  操作部
８０ｃ  接触部
８１  引張機構
８２  中間位置決め機構
８３  ドラグ調整つまみ
９０  位置決め部材
９０ａ  押圧操作部
９０ｂ  接触部
９０ｃ  第１収納凹部
９０ｄ  第２収納凹部
９１  第１ガイド部
９１ａ  本体部
９１ｂ  雄ねじ部
９２  第２ガイド部
９２ａ  本体部
９２ｂ  小径部
９２ｃ  大径部
９２ｄ  雄ねじ部
９３  第１ばね部材
９４  第１板状部材
９４ａ  雌ねじ部
９５  第２ばね部材
９６  第２板状部材
９６ａ  雌ねじ部
【図１】
0005961378.tif 000002
【図２】
0005961378.tif 000003
【図３】
0005961378.tif 000004
【図４】
0005961378.tif 000005
【図５】
0005961378.tif 000006
【図６】
0005961378.tif 000007